(57)【要約】【課題】電子ピアノ鍵盤の装置及び電子ピアノ鍵盤を提供する。【解決手段】主要支持枠１と、上部支持枠２と、下部支持枠３と、白鍵２２と、黒鍵２３と、電気伝導ゴム４１と、印刷基板４０と、第一槓桿アーム３３と、第二槓桿アーム３４とを備え、主要支持枠１には、順番に繋がっている第一階段４と、第二階段５と、第三階段６とを有する階段構造を有する。上部支持枠２は第三階段６に位置し、下部支持枠３は第一階段４、及び第二階段５の下に位置し、白鍵２２と黒鍵２３とは主要支持枠１と上部支持枠２の上に位置するとともに、上部支持枠２と繋がる。第一槓桿アーム３３と第二槓桿アーム３４とは、第一階段４と第二階段５との結合部、及び下部支持枠３を通り抜けて、それぞれ白鍵２２と黒鍵２３と繋がる。電気伝導ゴム４１は印刷基板４０の上に付けられ、第二階段５と第三階段６との下に位置する。【選択図】図１
2010237425.tif 000002
【特許請求の範囲】
【請求項１】
主要支持枠（１）と、上部支持枠（２）と、下部支持枠（３）と、白鍵（２２）と、黒鍵（２３）と、電気伝導ゴム（４１）と、印刷基板（４０）と、第一槓桿アーム（３３）と、第二槓桿アーム（３４）とを備え、
前記主要支持枠は、階段構造であり順番に繋がっている第一階段（４）と、第二階段（５）と第三階段（６）とを有し、
前記上部支持枠（２）は前記第三階段（６）に位置し、前記下部支持枠（３）は前記第一階段（４）、及び前記第二階段（５）の下に位置し、前記白鍵（２２）と前記黒鍵（２３）とは、前記主要支持枠（１）と前記上部支持枠（２）との上に位置するとともに、前記上部支持枠（２）と繋がり、
前記第一槓桿アーム（３３）と前記第二槓桿アーム（３４）とは、前記第一階段（４）と前記第二階段（５）との結合部、及び前記下部支持枠（３）を通り抜けて、それぞれ前記白鍵（２２）と前記黒鍵（２３）と繋がり、
前記電気伝導ゴム（４１）は前記印刷基板（４０）の上に付けられ、前記第二階段（５）と前記第三階段（６）との下に位置することを特徴とする電子ピアノの鍵盤装置。
【請求項２】
前記第一階段（４）は前伸びだしプレート（７）とつながり、前記前伸びだしプレート（７）は上部折畳プレート（４６）を含み、前記第三階段（６）は下伸びだしプレート（８）と繋がることを特徴とする請求項１に記載の電子ピアノの鍵盤の装置。
【請求項３】
前記前伸びだしプレート（７）の前記上部折畳プレート（４６）には、前記白鍵（２２）を支えている第一凸起部（１７）を有し、第二階段（５）には、前記黒鍵（２３）を支えている第二凸起部（１８）を有することを特徴とする請求項２に記載の電子ピアノの鍵盤の装置。
【請求項４】
第一キャップ（４３）は前記第一凸起部（１７）を包み、第二キャップ（４４）は前記第二凸起部（１８）を包むことを特徴とする請求項３に記載の電子ピアノの鍵盤の装置。
【請求項５】
前記上部支持枠（２）に第一凸プレート（１９）と第二凸プレート（１９’）が設けられ、白鍵（２２）の後ろ側を第一凸プレート（１９）に被り込み、黒鍵（２３）の後ろ側を第二凸プレート（１９’）に被り込むことを特徴とする請求項４に記載の電子ピアノの鍵盤の装置。
【請求項６】
前記第一凸プレート（１９）には第一軸穴（２０）を有し、前記白鍵（２２）の後ろ側には前記第一軸穴（２０）に合う白鍵軸（３１）を有する、前記白鍵軸（３１）は前記第一軸穴（２０）を通り抜け、
第一スプリングプレート（３０）は前記第一凸プレート（１９）を通り抜けて、前記第一スプリングプレート（３０）の一端は第一上部支持枠スロット（２８）の中に位置し、他端は前記白鍵（２２）の後ろ側の白鍵スロット（２９）の中位置し、
前記第二凸プレート（１９’）には第二軸穴（２０’）を有し、前記黒鍵（２３）の後ろ側に前記第二軸穴（２０’）に合う黒鍵軸（３１’）があり、前記黒鍵軸（３１’）は前記第二軸穴（２０’）を通り抜け、
第二スプリングプレート（３０’）は前記第二凸プレート（１９’）を通り抜けて、前記第二スプリングプレート（３０’）の一端は第二上部支持枠スロット（２８’）の中に位置し、他端は前記黒鍵（２３）の後ろ側の黒鍵スロット（２９’）の中に位置することを特徴とする請求項５に記載の電子ピアノの鍵盤の装置。
【請求項７】
第一槓桿アーム（３３）は第一槓桿ハンマー（３５）と繋がり、第二槓桿アーム（３４）は第二槓桿ハンマー（３５’）と繋がり、第一槓桿アーム（３３）の前端には第一矩形溝（３９）を有し、第二槓桿アーム（３４）の前端には第二矩形溝（３９’）を有し、第一槓桿アーム（３３）と第二槓桿アーム（３４）との前端には軸（４５）が嵌め込まれ、該軸（４５）は下部支持枠（３）の軸穴（１１）を通り過ぎて、第一槓桿アーム（３３）と第二槓桿アーム（３４）はその軸（４５）を回転可能であることを特徴とする請求項６に記載の電子ピアノの鍵盤の装置。
【請求項８】
前記第二階段（５）に第一ショックアブソーバー（１２）が設けられ、前記前伸び出しプレート（７）の前記上部折畳プレート（４６）の上に、第二ショックアブソーバー（１３）が設けられ、前伸び出しプレート（７）の上部折畳プレート（４６）の下に第三ショックアブソーバー（１４）が設けられ、下伸び出しプレート（８）と上部支持枠伸び出しプレート（３２）との隣り合う縁部に第四ショックアブソーバー（１５）が設けられ、下伸び出しプレート（８）の下の縁部に第五ショックアブソーバー（１６）が設けられることを特徴とする請求項７に記載の電子ピアノの鍵盤の装置。
【請求項９】
前記印刷基板（４０）の一端は前記下部支持枠（３）の上に設けられている伸び出しスロット（２１）の中に差し込まれ、他端は前記主要支持枠（１）の上の鍵盤ねじ穴（１０）の中に固定されていることを特徴とする請求項８に記載の電子ピアノの鍵盤の装置。
【請求項１０】
前記白鍵（２２）の後ろ側の凹部の、白鍵スロット（２９）に近いところにはホルダーブロック（４８）を有し、該ホルダーブロック（４８）は上部支持枠（２）の上にあることを特徴とする請求項１に記載の電子ピアノの鍵盤の装置。
【発明の詳細な説明】
【技術分野】
【０００１】
本発明は、楽器に関する。具体的に電子ピアノの鍵盤装置及び電子ピアノ鍵盤に関するものである。
【背景技術】
【０００２】
生活の水準が高まるとともに、人々は電子楽器の品質に対する要求も高くなっており、特に電子ピアノ鍵盤の触感に対する要求も厳しくなっている。しかし、従来の電子ピアノ鍵盤の触感は、伝統的なピアノ鍵盤の触感に比べて著しい差がある。その主な原因は、電子ピアノ鍵盤の押しとスプリングバック（ｓｐｒｉｎｇ  ｂａｃｋ）をコントロールするのが難しいことである。ある鍵盤は、押す時に抵抗力が強くて、スプリングバック（ｓｐｒｉｎｇ  ｂａｃｋ）が早すぎるため、指に圧迫感があり、演奏者の手が疲れやすくなる。一方、ある鍵盤は、押しがよくて、スプリングバック（ｓｐｒｉｎｇ  ｂａｃｋ）が遅いため、目立つハンマーエフェクト（ｈａｍｍｅｒ  ｅｆｆｅｃｔ）が感じられない。電子ピアノ鍵盤の押しとスプリングバック（ｓｐｒｉｎｇ  ｂａｃｋ）の問題は、ずっとこの領域の最も解決したがっている問題の一つである。
【発明の概要】
【発明が解決しようとする課題】
【０００３】
本発明が解決しようとする課題は、電子ピアノ鍵盤の装置及び電子ピアノ鍵盤を提供することであり、この電子ピアノ鍵盤は大衆向けのピアノ鍵盤の触感を作り出し、演奏者が演奏を思う存分に楽しめることができる。
【課題を解決するための手段】
【０００４】
本発明は上述した技術問題を解決するために、電子ピアノ鍵盤の装置には、主要支持枠と、上部支持枠と、下部支持枠と、白鍵と、黒鍵と、電気伝導ゴムと、印刷基板と、第一槓桿アームと、第二槓桿アームとを備える。その特徴として、主要支持枠に階段構造である第一階段、第二階段と第三階段とを有し、上部支持枠は第三階段に位置し、下部支持枠は第一、二階段の下に位置する。白鍵と黒鍵は主要支持枠と上部支持枠の上に位置するとともに、上部支持枠と繋がり、第一槓桿アームと第二槓桿アームは第一階段と第二階段との結合部及び下部支持枠を通り抜けて、それぞれ、白鍵と黒鍵と繋がる。電気伝導ゴムは印刷基板の上に付けられて、第二階段と第三階段の下に位置する。
【０００５】
上述の電子ピアノ装置は、たとえば請求項２に示すように、第一階段は前延びだしプレートとつながり、前延びだしプレートは上部折畳プレートを含み、第三階段は下延びだしプレートと繋がる。
【０００６】
上述の電子ピアノ装置は、たとえば請求項３に示すように、前延びだしプレートの上部折畳プレートには白鍵を支えている凸起部を有し、第二階段には黒鍵を支えている凸起部を有する。
【０００７】
上述の電子ピアノ装置は、たとえば請求項４に示すように、第一キャップは第一凸起部を包み、第二キャップは第二凸起部を包む。
【０００８】
上述の電子ピアノ装置は、たとえば請求項５に示すように、上部支持枠に第一凸台第一凸台と第二凸台が設けられ、白鍵の後ろ側を第一凸台に被り込み、黒鍵の後ろ側を第二凸台に被り込む。
【０００９】
上述の電子ピアノ装置は、たとえば請求項６に示すように、第一凸プレートには第一軸穴を有し、白鍵の後ろ側に第一軸穴に合う白鍵軸がある。第一スプリングプレート（ｓｐｒｉｎｇ  ｐｌａｔｅ）は第一凸プレートを通り抜けて、第一スプリングプレート（ｓｐｒｉｎｇ  ｐｌａｔｅ）の一端は、第一上部支持枠のスロットの中に位置し、他端は白鍵の後ろ側の白鍵支持枠のスロットの中に位置する。第二凸プレートには第二軸穴を有し、黒鍵の後ろ側に第二軸穴に合う黒鍵軸があり、黒鍵軸は第二軸穴を通り抜ける。第二スプリングプレート（ｓｐｒｉｎｇ  ｐｌａｔｅ）は第二凸プレートを通り抜けて、第二スプリングプレート（ｓｐｒｉｎｇ  ｐｌａｔｅ）の一端は第二上部支持枠のスロットの中に位置し、他端は黒鍵の後ろ側の黒鍵支持枠のスロットの中に位置する。
【００１０】
上述の電子ピアノ装置は、たとえば請求項７に示すように、第一槓桿アームは第一槓桿ハンマーと繋がり、第二槓桿アームは第二槓桿ハンマーと繋がり、第一槓桿アームの前端には第一矩形溝を有し、第二槓桿アームの前端には第二矩形溝を有し、第一槓桿アームと第二槓桿アームとの前端には軸が嵌め込まれ、その軸は下部支持枠の軸穴を通り過ぎて、第一槓桿アームと第二槓桿アームはその軸を回転可能である。
【００１１】
上述の電子ピアノ装置は、たとえば請求項８に示すように、第二階段に第一ショックアブソーバー（ｓｈｏｃｋ  ａｂｓｏｒｂｅｒ）が設けられ、前延び出しプレートの上部折畳プレートの上に第二ショックアブソーバー（ｓｈｏｃｋ  ａｂｓｏｒｂｅｒ）が設けられ、前延び出しプレートの上部折畳プレートの下に第三ショックアブソーバー（ｓｈｏｃｋ  ａｂｓｏｒｂｅｒ）が設けられ、下延び出しプレートと上部支持枠延び出しプレートの隣合う縁部に第四ショックアブソーバー（ｓｈｏｃｋ  ａｂｓｏｒｂｅｒ）が設けられ、下延び出しプレートの下の縁部に第五ショックアブソーバー（ｓｈｏｃｋ  ａｂｓｏｒｂｅｒ）が設けられる。
【００１２】
上述の電子ピアノ装置には、たとえば請求項９に示すように、印刷基板の一端は下部支持枠の上に設けられている延び出しスロットの中に差し込まれ、他端は主要支持枠の上の鍵盤ねじ穴の中に固定されている。
【００１３】
上述の電子ピアノ装置には、たとえば請求項１０に示すように、白鍵の後ろ側の凹部の、白鍵スロットに近いところにはホルダーブロック（ｈｏｌｄｅｒ  ｂｌｏｃｋ）を有し、ホルダーブロック（ｈｏｌｄｅｒ  ｂｌｏｃｋ）は上部支持枠の上にある。
【発明の効果】
【００１４】
本発明は、部品の取り付け方法や撤去しかたがわかりやすいため、電子ピアノ鍵盤装置及び電子ピアノが補修しやすくなる。部品は相対的に独立し、互いに取り替えるのも簡単だし、合理的にショックアブソーバー（ｓｈｏｃｋ  ａｂｓｏｒｂｅｒ）を設置し、電子ピアノ鍵盤装置及び電子ピアノ鍵盤の触感を伝統ピアノの触感のように感じさせる。
【図面の簡単な説明】
【００１５】
【図１】本発明の一実施形態の支持枠の構造を示す説明図。
【図２】本発明の一実施形態の黒鍵及び白鍵の位置を示す説明図。
【図３】本発明の一実施形態の鍵盤構造を示す説明図。
【図４】本発明の一実施形態の白鍵の通常状態を示す説明図。
【図５】本発明の一実施形態の白鍵の作動状態を示す説明図。
【図６】本発明の一実施形態の黒鍵の通常状態の説明図。
【図７】本発明の一実施形態の黒鍵の作動状態の説明図。
【図８】本発明の第一槓桿アーム及びその局部的に拡大した説明図。
【発明を実施するための形態】
【００１６】
以下、本発明の一実施形態の電子ピアノの鍵盤装置を図に基づいて説明する。
本発明は大量のデータによるテストに基づき、主に鍵盤の触感問題を力強く研究し、鍵盤を押す時、手に対する抵抗力の変化と、スプリングバック（ｓｐｒｉｎｇ  ｂａｃｋ）のとき鍵盤のスピードによる手の触感の変化を分析し、鍵盤の触感についての様々な人の意見を分析した。一連の構造の変化を通して、電子ピアノ鍵盤の触感を本当のピアノの触感のようにさせる。
【００１７】
本発明電子ピアノ鍵盤装置は、図１、図２、図３、図４、図５、図６、図７、図８に示すように、主要支持枠（１）、上部支持枠（２）、下部支持枠（３）、白鍵（２２）、黒鍵（２３）、電気伝導ゴム（４１）、印刷基板（４０）、第一槓桿アーム（３３）、第二槓桿アーム（３４）を備える。主要支持枠には階段構造を有する。階段構造として、第一階段（４）、第二階段（５）と第三階段（６）が順番に繋がっている。上部支持枠（２）は第三階段（６）の上に位置する。下部支持枠（３）は第一階段（４）、第二階段（５）の下に位置する。白鍵（２２）と黒鍵（２３）は主要支持枠（１）と上部支持枠（２）の上で、上部支持枠（２）と繋がる。第一槓桿アーム（３３）と第二槓桿アーム（３４）は第一階段（４）と第二階段（５）との結合部及び下部支持枠（３）を通り抜けて、白鍵（２２）と黒鍵（２３）と繋がる。電気伝導ゴム（４１）は印刷基板（４０）の上に付けられ、第二階段（５）と第三階段（６）の下に位置する。第一階段（４）は前延びだしプレート（７）とつながり、前延びだしプレート（７）は上部折畳プレート（４６）を含んでいる。そして、第三階段（６）は下延びだしプレート（８）と繋がる。前延びだしプレート（７）と下延びだしプレート（８）にはそれぞれねじ穴（９）とねじ穴（９’）を有し、それは主要支持枠（１）を固定するためである。前延びだしプレート（７）の上部折畳プレート（４６）には白鍵（２２）を支えている凸起部（１７）があり、第二階段（５）には黒鍵（２３）を支えている凸起部（１８）がある。キャップ（４３）は凸起部（１７）を包み、キャップ（４４）は凸起部（１８）を包む。上部支持枠（２）には第一凸プレート（１９）と第二凸プレート（１９’）が設けられ、白鍵（２２）の後ろ側を第一凸プレート（１９）に被り込み、黒鍵（２３）の後ろ側を第二凸プレート（１９’）に被り込む。第一凸プレート（１９）には第一軸穴（２０）を有し、白鍵（２２）の後ろ側には第一軸穴（２０）に合う白鍵軸（３１）を有する。白鍵軸（３１）は第一軸穴（２０）を通り抜ける。第一スプリングプレート（ｓｐｒｉｎｇ  ｐｌａｔｅ）（３０）は第一凸プレート（１９）を通り抜ける。第一スプリングプレート（ｓｐｒｉｎｇ  ｐｌａｔｅ）（３０）の一端は第一上部支持枠スロット（２８）の中に位置し、他端は白鍵（２２）の後ろ側の白鍵支持枠スロット（２９）の中に位置する。第二凸プレート（１９’）には第二軸穴（２０’）を有し、黒鍵（２３）の後ろ側には第二軸穴（２０’）に合う黒鍵軸（３１’）を有する。黒鍵軸（３１’）は第二軸穴（２０’）を通り抜ける。第二スプリングプレート（ｓｐｒｉｎｇ  ｐｌａｔｅ）（３０’）は第二凸プレート（１９’）を通り抜ける。第二スプリングプレート（ｓｐｒｉｎｇ  ｐｌａｔｅ）（３０’）の一端は第二上部支持枠スロット（２８’）の中に位置し、他端は黒鍵（２３）の後ろ側の黒鍵支持枠スロット（２９’）の中に位置する。第一スプリングプレート（ｓｐｒｉｎｇ  ｐｌａｔｅ）（３０）と第二スプリングプレート（ｓｐｒｉｎｇ  ｐｌａｔｅ）（３０’）は鍵盤を支える役割を果たしているとともに、鍵盤の脱落を防ぐ。同時にスプリングバック（ｓｐｒｉｎｇ  ｂａｃｋ���力が生じ、鍵盤自身の重さと相殺することができる。第一軸穴（２０）と第二軸穴（２０’）は鍵盤の並びと同じ方向で開放し、鍵盤の取替えに便利です。
【００１８】
第一槓桿アーム（３３）は第一槓桿ハンマー（３５）と繋がる。第二槓桿アーム（３４）は第二槓桿ハンマー（３５’）と繋がる。第一槓桿アーム（３３）の前端には第一矩形溝（３９）が設けられる。第二槓桿アーム（３４）の前端には第二矩形溝（３９’）が設けられる。第一槓桿アーム（３３）と第一槓桿ハンマー（３５）とは射出形成方式（ｉｎｊｅｃｔｉｏｎ  ｍｏｌｄｉｎｇ  ｔｅｃｈｎｉｑｕｅｓ）で一体になっている。プラスチック前端の上の表面には斜面（３６）を有し、斜面（３６）は、面取り（ｃｈａｍｆｅｒ）によって、上部プレート（３７）と下部プレート（３８）とを正切連接する。矩形溝（３９）は潤滑油の保存用であり、十分な潤滑油を長い間利用できる。鍵盤の鍵のルート（２４）と鍵のルート（２６）の中にはアークが付いている柔らかいラバーガスケット（ｒｕｂｂｅｒ  ｇａｓｋｅｔ）（４２）が設けられ、ショックや雑音を緩衝することができる。作動中、ラバーガスケット（４２）は、槓桿の上の表面とあわせて理想的な運動状態を形成し、よい鍵盤の触感を作り出す。第一槓桿アーム（３３）及び第二槓桿アーム（３４）の前端には軸（４５）が差し込まれ、軸（４５）は下部支持枠の軸穴（１１）を通り抜けて、第一槓桿アーム（３３）及び第二槓桿アーム（３４）はその軸（４５）によって回転可能に支持されている。槓桿のアームは黒鍵及び白鍵の鍵ルートの加圧作用によって、下部支持枠の軸穴（１１）中のステンレス軸（４５）を回転軸として、主要支持枠（１）内で往復遥動する。槓桿のアームは鍵盤の鍵ルートを支持し、槓桿ハンマーの自身の重さによって、槓桿アームは鍵盤の鍵ルートを上方向に支持することができる。このため、鍵盤は上方向へ運動する傾向を有する。そして、鍵盤鍵ルート上に位置する白鍵延びだしルート（２５）及び黒鍵の延びだしルート（２７）と主要支持枠の前端に設けられている鍵ルートのクッション（１４）とはお互いに作用し、鍵盤は準備状態のときに復位状態になる。
【００１９】
第二階段（５）には第一ショックアブソーバー（ｓｈｏｃｋ  ａｂｓｏｒｂｅｒ）（１２）が設けられている。前延び出しプレート（７）の上部折畳プレート（４６）の上には第二ショックアブソーバー（ｓｈｏｃｋ  ａｂｓｏｒｂｅｒ）（１３）が設けられている。前延び出しプレート（７）の上部折畳プレート（４６）の下には第三ショックアブソーバー（ｓｈｏｃｋ  ａｂｓｏｒｂｅｒ）（１４）が設けられている。下延び出しプレート（８）と上部支持枠延び出しプレート（３２）の隣り合う縁部には第四ショックアブソーバー（ｓｈｏｃｋ  ａｂｓｏｒｂｅｒ）（１５）が設けられている。下延び出しプレート（８）の下には第五ショックアブソーバー（ｓｈｏｃｋ  ａｂｓｏｒｂｅｒ）（１６）が設けられている。厚度、硬度、密度の違うショックアブソーバー（ｓｈｏｃｋ  ａｂｓｏｒｂｅｒ）は、例えばコットンから作ったもので、位置の限定、振動の防止、ショックの緩衝、雑音の低減などの役割を果たすことが可能である。第四ショックアブソーバー（ｓｈｏｃｋ  ａｂｓｏｒｂｅｒ）（１５）と第五ショックアブソーバー（ｓｈｏｃｋ  ａｂｓｏｒｂｅｒ）（１６）とは、人の指と指との間の触感の真似をして、中間が緻密で、両方が柔軟な多層構造を有する。よって、槓桿アームのショックに対する緩衝作用は一層強くなる。
【００２０】
電気伝導ゴム（４１）はＰＣＢ（４０）の上に位置する。ＰＣＢ（４０）の一端は、下部支持枠（３）の上に設けられている延び出しスロット（２１）の中に延び込まれ、他端は主要支持枠（１）の上の鍵盤ねじ穴（１０）の中に固定されている。電気伝導ゴム（４１）の両端に連体凸プレート（４７）を有することによって、電気伝導ゴムはＰＣＢ（４０）と主要支持枠（１）の間に押さえられる。よって、電気伝導ゴムの移動を防止できる。
【００２１】
白鍵（２２）の後ろ側の凹部の、白鍵スロット（２９）に近いところにはホルダーブロック（ｈｏｌｄｅｒ  ｂｌｏｃｋ）（４８）が設けられ、ホルダーブロック（ｈｏｌｄｅｒ  ｂｌｏｃｋ）（４８）は上部支持枠（２）の上に位置する。
【００２２】
準備状態で、白鍵の鍵ルート（２４）の中のラバーガスケット（ｒｕｂｂｅｒ  ｇａｓｋｅｔ）（４２）、及び黒鍵の鍵ルートの中のラバーガスケット（ｒｕｂｂｅｒ  ｇａｓｋｅｔ）（４２’）は、槓桿アーム前端の上表面にある上部プレート（３７）上に止まる。両者はお互いに繋がって、第一槓桿ハンマー（３５）及び第二ハンマー（３５’）の自身の重さによって、槓桿の腕の前端は白鍵（２２）や黒鍵（２３）を支持し、それらを上方向に運動させる傾向がある。しかし、白鍵の延び出しルート（２５）と黒鍵の延び出しルート（２７）は鍵盤の鍵ルートのクッション（１４）の圧力に抑制され、上方向へ運動することができず、鍵盤は静止のままの状態を維持する。例えば何かの外力によって、鍵盤が押された場合、鍵盤の鍵ルートのラバーガスケット（ｒｕｂｂｅｒ  ｇａｓｋｅｔ）（４２）とラバーガスケット（ｒｕｂｂｅｒ  ｇａｓｋｅｔ）（４２’）に圧力を受けて動かし、槓桿アームと鍵盤とを相対的に運動させる。そのとき、鍵盤は上部支持枠の中心の軸穴を回って回転し、槓桿アームは下部支持枠の中心の軸穴（１１）を回って回転する。同時に、黒鍵や白鍵の鍵ルート中に設けられているラバーガスケット（ｒｕｂｂｅｒ  ｇａｓｋｅｔ）は、槓桿アームの前端の上表面にある斜面（３６）に沿って、上部プレート（３７）から下部プレート（３８）の方向へ、鍵盤の限界状態まで滑る。このような往復運動をしたら、鍵盤の全体は一つの系統的な伝動機構を形成する。槓桿のハンマーの自身の重さ、一連の伝動運動、及び槓桿アームとラバーガスケット（ｒｕｂｂｅｒ  ｇａｓｋｅｔ）との巧みな組み合わせによって、作動中に本当のピアノのようなハンマーエフェクト（ｈａｍｍｅｒ  ｅｆｆｅｃｔ）が生み出され、最後に鍵盤の表面から人の手に伝える。同時に、鍵盤の下にある電気伝導ゴム（４１）は鍵盤とともに往復運動し、電気伝導ゴムの中の二つの炭粒が相次いでＰＣＢ（４０）のカーボングリッド（Ｃａｒｂｏｎ  ｇｒｉｄ）に接触することによって、ＰＣＢ（４０）の上にある回路は通電状態となる。同時に、鍵盤のシステムはスキャンソフト（ｓｃａｎ  ｓｏｆｔ）を起動し、ついにピアノとそっくりとした音色を実現する。
【００２３】
本領域の技術員は本発明の本質と精神に基づき、幾つかの変形した方案から本発明を実現できる。上述したものは本発明の最良の実施形態だけで、これで特許の範囲を限定するのではない。本明細書及び図面に等価する全ての構造変化は、特許請求の範囲に含まれる。
【符号の説明】
【００２４】
１：主要支持枠、２：上部支持枠、３：下部支持枠、４：第一階段、５：第二階段、６：第三階段、７：前延びだしプレート、８：下延びだしプレート、９：ねじ穴、１０：鍵盤ねじ穴、１１：軸穴、１２：第一ショックアブソーバー（ｓｈｏｃｋ  ａｂｓｏｒｂｅｒ）、１３：第二ショックアブソーバー（ｓｈｏｃｋ  ａｂｓｏｒｂｅｒ）、１４：第三ショックアブソーバー（ｓｈｏｃｋ  ａｂｓｏｒｂｅｒ）、１５：第四ショックアブソーバー（ｓｈｏｃｋ  ａｂｓｏｒｂｅｒ）、１６：第五ショックアブソーバー（ｓｈｏｃｋ  ａｂｓｏｒｂｅｒ）、１７：凸起部、１８：凸起部、１９：第一凸台、２０：第一軸穴、２１：スロット、２２：白鍵、２３：黒鍵、２４：鍵のルート、２５：白鍵延びだしルート、２６：鍵のルート、２７：黒鍵の延びだしルート、２８：第一上部支持枠のスロット、２９：白鍵支持枠のスロット、３０：第一スプリングプレート（ｓｐｒｉｎｇ  ｐｌａｔｅ）
３１：黒鍵軸、３２：上部支持枠延び出しプレート、３３：第一槓桿アーム、３４：第二槓桿アーム、３５：第一槓桿ハンマー、３６：斜面、３７：上部プレート、３８：下部プレート、３９：矩形溝、４０：ＰＣＢ、４１：電気伝導ゴム、４２：ラバーガスケット（ｒｕｂｂｅｒ  ｇａｓｋｅｔ）
４３：キャップ、４４：キャップ、４５：軸、４６：上部折畳プレート、４７：連体凸プレート、４８：ホルダーブロック
（ｈｏｌｄｅｒ  ｂｌｏｃｋ）
【図１】
2010237425.tif 000003
【図２】
2010237425.tif 000004
【図３】
2010237425.tif 000005
【図４】
2010237425.tif 000006
【図５】
2010237425.tif 000007
【図６】
2010237425.tif 000008
【図７】
2010237425.tif 000009
【図８】
2010237425.tif 000010